(57)【要約】【課題】携帯端末装置の強度および防水性能とともに、情報表示部の透過と小型薄型化を図ることができる携帯端末装置を提供する。【解決手段】携帯電話機１の可動側筐体２０を構成する可動リアケース３０の内部に金属フレーム板５０を配設するとともに、この金属フレーム板５０の上面部に両面貼着部材６０を介して表面パネル板３２となる時計表示部２１を視認する透明板部材３３と可動側筐体２０の強度を補強する金属パネル部材３５とを組み合わせた状態で固定する。【選択図】        図７
2010130581.tif 000002
【特許請求の範囲】
【請求項１】
固定側筐体と、表面パネル板を有するとともに、当該表面パネル板の対向する側に配設された表示部を有する可動側リアケースと可動側フロントケースとを備えた可動側筐体とをヒンジ部を介して連結する携帯端末装置であって、
前記表面パネル板は、
前記表示部の配置に対応して設けられた透明板部材と、当該透明板部材の配置領域以外を覆囲する金属パネル部材とを備え、
前記可動フロントケースの内部に配設されたフレーム板部材には、当該フレーム板部材の第１の面に対して、一方の面が貼着固定された両面貼着部材が配設されるとともに、当該両面貼着部材の他方の面には、前記透明板部材と前記金属パネル部材とが貼着固定されることを特徴とする携帯端末装置。
【請求項２】
前記両面貼着部材の他方の面の一部は、当該両面貼着部材により前記透明板部材を、前記フレーム板部材の所定の位置に固定する貼着領域となり、前記他方の面の一部以外の面は、当該両面貼着部材により前記金属パネル部材を、前記フレーム板部材の所定の位置に固定する貼着領域となるように形成されていることを特徴とする請求項１に記載の携帯端末装置。
【請求項３】
前記両面貼着部材の他方の面である貼着領域は、前記金属パネル部材の下面を前記フレーム板部材の所定の位置に貼着固定する金属パネル貼着部と、前記透明板部材の下面を前記フレーム板部材の所定の位置に貼着固定する透明板部材貼着部とを兼用する貼着兼用領域として形成されることを特徴とする請求項１または２に記載の携帯端末装置。
【請求項４】
前記金属パネル部材の一部には、前記透明板部材を配設させる領域となる切り欠き部が形成されることを特徴とする請求項１乃至３の何れか一つに記載の携帯端末装置。
【発明の詳細な説明】
【技術分野】
【０００１】
本発明は、固定側筐体と可動側筐体とをヒンジ構造の連結部を介して連結した携帯端末装置に関する。
【背景技術】
【０００２】
近年の携帯電話機は、小型化や薄型化などの要望により、固定側筐体と可動側筐体の２つの筐体をヒンジ構造の連結部を介して２つ折り方式に連結する構造となっている(例えば、特許文献１参照)。
【０００３】
また、このような携帯電話機は、可動側筐体の可動フロントケースに設けた大型のＬＣＤ（Ｌｉｑｕｉｄ Ｃｒｙｓｔａｌ Ｄｉｓｐｌａｙ）表示部以外に、この携帯電話機を閉じた状態でも可動リアケースの表面パネル板に、例えば時刻表示などを表示することができる表示部が設けられている。
【０００４】
携帯電話機を使用するユーザは、このような可動リアケースの表面パネル板に設けられた時計表示などにより、携帯電話機を開かない状態でも時刻などの情報を確認することができる。
【０００５】
このような従来の携帯電話機の場合、ヒンジ部により開閉する２つの筐体は、プラスチック材料などで成形された二つ折りタイプとなっているため、携帯電話機の開閉時の開閉耐久力などの強度を備える構造の要求が高まっている。
【０００６】
【特許文献１】特開２００５−２５２３４３号公報
【発明の開示】
【発明が解決しようとする課題】
【０００７】
ところで、上述したように、携帯電話機の可動側筐体の可動リアケースの表面パネル板に時計表示などの情報表示部を設けた場合、この情報表示部をユーザが視認するための窓部が設けられる。具体的には、可動リアケースの表示パネル板となる樹脂製の外装ケースに窓部となる矩形状の開口部などを形成する必要があるため、この開口部によって、樹脂製の外装ケースの強度が低下することとなるという問題がある。
【０００８】
一方、表面パネル板を樹脂材ではなく、強度が高い金属パネル等の金属部材とした場合には、この金属部材の下部に配置された時計表示部などが視認できないという問題が生じる。
【０００９】
ここで、表面パネル板の下部に配置された時計表示部などが視認するために、金属製の表面パネル板とは別に透明のパネル、つまり透明板部材を設けることなどが考えられる。この場合には、金属製の表示パネル板と透明板部材とをそれぞれ組み付け固定することとなり、具体的には、両面テープ等の両面貼着部材で、表示パネル板と透明部材を上下に１つ１つ貼着固定することとなる。このため、部品点数が嵩むことから携帯電話機を薄型化とすることができなくなるという問題がある。また、部品点数が嵩むことは防水性の観点からも問題がある。
【００１０】
そこで、本件開示の装置は、上述した従来技術の課題を解決するためになされたものであり、携帯端末装置を構成するケース筐体の強度および防水性能の向上を図ることができる携帯端末装置を提供することを目的とする。
【課題を解決するための手段】
【００１１】
開示の携帯端末装置は、固定側筐体と、表面パネル板を有するとともに、当該表面パネル板の対向する側に配設された表示部を有する可動側リアケースと可動側フロントケースとを備えた可動側筐体とをヒンジ部を介して連結する携帯端末装置であって、前記表面パネル板は、前記表示部の配置に対応して設けられた透明板部材と、当該透明板部材の配置領域以外を覆囲する金属パネル部材とを備え、前記可動フロントケースの内部に配設されたフレーム板部材には、当該フレーム板部材の第１の面に対して、一方の面が貼着固定された両面貼着部材が配設されるとともに、当該両面貼着部材の他方の面には、前記透明板部材と前記金属パネル部材とが貼着固定される。
【発明の効果】
【００１２】
開示の携帯端末装置は、防水性および筐体の強度の向上を実現することができる。また、開示の携帯端末装置は、薄型化を実現するとともに、情報表示部の視認を可能とすることができる。
【発明を実施するための最良の形態】
【００１３】
以下に添付図面を参照して、携帯端末装置の好適な実施例を詳細に説明する。以下の実施例は、携帯端末装置として携帯電話機への適用例を示す。なお、この実施例により、本発明が限定されるものではない。
【実施例】
【００１４】
ここで、図１は、本実施例に係る携帯電話機１の開放状態を示す平面図である。また、図２は、携帯電話機１の開放状態を、図３は、携帯電話機１の閉塞状態をそれぞれ示す側面図である。また、図４は、携帯電話機１の表面パネル板を示す上視図である。
【００１５】
図１〜図３に示すように、携帯電話機１は、掌サイズの固定側筐体１０および可動側筐体２０とを備えている。そして、これら固定側筐体１０および可動側筐体２０とをヒンジ連結部１３により開閉自在に組み付けている。
【００１６】
すなわち、携帯電話機１は、送話用に用いられるとともに、数字キーを含むキースイッチ２および機能キー３などの各種操作キーを備える固定側筐体１０と、この固定側筐体１０とほぼ同等サイズに形成され、ＬＣＤモジュール（図示せず）を備える可動側筐体２０とをヒンジ連結部１３により折り畳み自在に連結している。これら固定側筐体１０及び可動側筐体２０は、薄肉の箱形状に形成され、その材料には、例えば、軽量で高強度のマグネシウム合金などが使用されている。
【００１７】
ヒンジ連結部１３は、可動リアケース３０の端部に成形された可動側ヒンジ部１４、１５と固定フロントケース１１の端部に成形された固定側ヒンジ部１６とを、回動軸部（図示せず）を中心として、回動自在に組み付けられており、これにより、可動側筐体２０の可動リアケース３０を所定の方向に回動させることができる。
【００１８】
このうち、固定側筐体１０は、キースイッチ２などの各種操作キーを有する操作パネル４が配置された固定フロントケース１１と、その背面側に位置する固定リアケース１２との２分割構造を備えている。
【００１９】
固定フロントケース１１には、上述した操作パネル４、機能キー３や利用者の音声を電気信号に変換するマイクロホンが内部に配設された送話口５が設けられている。
【００２０】
また、固定リアケース１２の側板部には、ラジオなどの音量を調整する一対のボリュームキーやＴＶキーなどのサイドキーがそれぞれ配設されている。そして、固定フロントケース１１と固定リアケース１２とは、それぞれ４箇所の位置で取り付けネジ（図示せず）によるネジ止め固定により組み付けられている。
【００２１】
また、可動側筐体２０は、可動リアケース３０と可動フロントケース４０との２分割構造とを備えている。このうち可動フロントケース４０の表面のほぼ中央部には、ＬＣＤモジュール（図示せず）を視認するための大型の表示パネル４１が設けられている。
【００２２】
また、可動リアケース３０の内部には、図８に示す金属フレーム板５０が配設され、この金属フレーム板５０の可動フロントケース４０と反対側の表面（以下、「金属フレーム板５０の上面部」とも言う。）に両面貼着部材６０を介して、表面パネル板３２を構成する透明板部材３３と金属パネル部材３５とが、それぞれ所定の位置で組み合わせた状態で固定されている。
【００２３】
ここで、表面パネル板３２の対向する側、すなわち、表面パネル板３２を構成する透明板部材３３の裏面には、図４に示すように、所定の情報を表示する表示部である時計表示部２１が配設されている。なお、表面パネル板３２を構成する透明板部材３３と金属製の金属パネル部材３５の構造の詳細や機能については後述する。
【００２４】
また、図１に示すように、可動フロントケース４０の表示パネル４１の端部には、携帯電話機１の使用者が耳を当てて音声を聞き取るための受話口６が配設されている。そして、可動リアケース３０と可動フロントケース４０もそれぞれ４箇所の位置で取り付けネジ(図示せず)により取り付け固定されている。また、表示パネル４１には、固定ネジ用の目隠しカバー７が設けられている。
【００２５】
以下、図４〜図９を参照して、可動側筐体２０を構成する可動リアケース３０の表面パネル板３２として用いられる透明板部材３３および金属パネル部材３５の詳細について説明する。
【００２６】
ここで、図４は、携帯電話機１の表面パネル板を示す上視図である。また、図５は、透明板部材３３を示す平面図である。また、図６は、金属パネル部材３５を示す平面図である。また、図７は、図４のＡ−Ａ拡大断面図である。また、図８は、可動側筐体２０および両面貼着部材６０を示す斜視図である。また、図９は、可動リアケース３０に対する透明板部材３３および金属パネル部材３５の固定を説明する図である。
【００２７】
ここで、本実施例に係る携帯電話機１は、可動側筐体２０を構成する可動リアケース３０の内部に配設された金属フレーム板５０の上面部に両面貼着部材６０を介して表面パネル板３２を構成する透明板部材３３と金属パネル部材３５とを固定することにより、携帯電話機１を構成する可動側筐体２０の強度および防水性能の向上を図ることができるように構成される。
【００２８】
すなわち、携帯電話機１の可動側筐体２０を構成する可動リアケース３０の内部に図８に示す金属フレーム板５０を配設するとともに、この金属フレーム板５０の上面部に両面貼着部材６０を使用して、時計表示部２１を視認できるようにするための透明板部材３３と、剛性を有する金属パネル部材３５とを組み合わせた状態で固定する構造としている。すなわち、これによって、携帯電話機１を構成する可動側筐体２０の可動リアケース３０の強度の向上および防水性を図ることができる構造としている。
【００２９】
概略的には、従来、可動リアケースの上面側に表面パネル板として用いられていた樹脂パネルを強度を備えた金属製の金属パネル部材３５として構成するとともに、図４〜図９に示すように、可動リアケース３０の内部であって、表面パネル板３２の下部に配設された情報表示用の時計表示部２１を視認できるようにするための透明板部材３３を金属パネル部材３５に隣接させた状態で、同一領域内で組み合わせた状態で、両面貼着部材６０で貼着固定する構造としている。
【００３０】
図８に示すように、可動リアケース３０の内側面部３１には、この可動リアケース３０とほぼ同形状、同寸法となるように形成されたフレーム板部材である金属フレーム板５０が配設されている。そして、図７に示すように、この金属フレーム板５０の上面部には、可動側筐体２０の表面パネル板３２となる透明板部材３３と金属パネル部材３５とがそれぞれ両面貼着部材６０により貼着固定されている。すなわち、金属フレーム板５０には、当該金属フレーム板５０の上面に対して、一方の面が貼着固定された両面貼着部材６０が配設されるとともに、当該両面貼着部材６０の他方の面には、透明板部材３３と金属パネル部材３５とが貼着固定されている。
【００３１】
図４および図５に示すように、透明板部材３３は、四角型に形成された透明樹脂パネルとして構成されており、表示部である時計表示部２１の位置に対応して設けられている。この透明板部材３３により、可動リアケース３０に設けられた所定の情報を表示する時計表示部２１を透過させ視認することができる。そして、この透明板部材３３は、金属パネル部材３５の一部に形成された切り欠き部３７の位置に配設されている。すなわち、切り欠き部３７は、透明板部材３３を配設させる領域であり、透明板部材３３は、この切り欠き部３７の大きさとほぼ一致する幅寸法を有する大きさとして形成されている。
【００３２】
ここで、この透明板部材３３は、透明樹脂パネルではなく、所定の強度を有する強化ガラス部材を使用しても良い。
【００３３】
また、金属パネル部材３５は、四角型に形成された薄肉状の金属製の金属パネルが使用されており、この金属パネル部材３５の表面部には、樹脂材が薄く塗布されている。この金属パネル部材３５は、透明板部材３３の配置領域以外を覆囲する部材である。
【００３４】
また、前述したように、この金属パネル部材３５の一部には、透明板部材３３を配設させる領域となる切り欠き部３７が形成されている。そして、これら透明板部材３３および金属パネル部材３５は、図９に斜線で示すように、可動リアケース３０の金属フレーム板５０に対して両面貼着部材６０を介して、この両面貼着部材６０の上面部に貼着固定される。
【００３５】
金属フレーム板５０は、可動リアケース３０の形状と同一の四角型に形成されるとともに、可動リアケース３０の幅寸法よりも僅かに小さい幅寸法を有する金属フレーム体であり、図８に示すように、この金属フレーム板５０の本体部５１の所定位置には、可動リアケース３０の内部に配設される電気部品などを配設するための複数の開口部５２、５３、５４が形成されている。
【００３６】
両面貼着部材６０は、金属フレーム板５０の形状と同一となる四角型に形成されるとともに、ほぼ同じ幅寸法の大きさを有する貼着用のシート部材であり、図８に示すように、この両面貼着部材６０の本体部６１にも金属フレーム板５０に形成された複数の開口部５２、５３、５４と対応する位置に複数の開口部６２、６３、６４が形成されている。
【００３７】
両面貼着部材６０は、図９に示すように、下面が金属フレーム板５０の上面に当接された状態で貼り付けされている。このように、表面パネル板３２と金属フレーム板５０との間に防水シートである両面貼着部材６０を介在させることで、携帯電話機１の可動側筐体２０の内部に対する防水性を図る構造としている。
【００３８】
具体的に説明すると、この両面貼着部材６０の両面に設けられた貼着面のうちの一方の貼着面が金属フレーム板５０の上面に貼着固定され、他方の貼着面に表面パネル板３２を構成する透明板部材３３の下面と金属パネル部材３５の下面とがそれぞれ貼着固定される。ここで、透明板部材３３および金属パネル部材３５は、両面貼着部材６０に対するそれぞれの貼着幅が所定の幅寸法（例えば、２ｍｍ）が確保できるように形成されている。
【００３９】
さらに、この両面貼着部材６０による全貼着領域のうち図８に斜線で示す貼着領域は、金属パネル部材３５の下面を金属フレーム板５０の所定の位置に貼着固定する金属パネル貼着部と、透明板部材３３の下面を金属フレーム板５０の所定の位置に貼着固定する透明板部材貼着部とを兼用する貼着兼用領域として形成されている。このため、貼着兼用領域の幅寸法Ｔは、上記の所定の幅寸法の２倍（例えば、４ｍｍ）となるように形成されている。このように、可動リアケース３０の内部に配設した金属フレーム板５０に対して、透明板部材３３および金属パネル部材３５の両部品を１枚の両面貼着部材６０を利用して貼着固定できるため、部品点数の軽減を図ることができる。
【００４０】
以上説明したように、本実施例１の携帯電話機１では、この携帯電話機１の可動側筐体２０を構成する可動リアケース３０の内部には金属板である金属フレーム板５０が配設され、この金属フレーム板５０の上面部に防水シートである両面貼着部材６０を介して表面パネル板３２としての透明板部材３３と金属パネル部材３５とが所定の位置で組み合わされて固定されるので、携帯電話機１を構成する可動側筐体２０の強度および防水性能の向上を図ることができる。
【００４１】
また、表面パネル板３２を構成する透明板部材３３により、この透明板部材３３の下部に配設された時計表示部２１を透過させて視認することができるうえ、表面パネル板３２となる透明板部材３３および金属パネル部材３５とは１つの両面貼着部材６０を介して金属フレーム板５０に固定することができるとともに、透明板部材３３および金属パネル部材３５を貼着固定する場合に、両面貼着部材６０の貼着領域を一部兼用した状態で利用できるため、部品点数の削減を実現することができる。
【００４２】
（他の実施例）
さて、これまで実施例について説明したが、本件開示の携帯端末装置は上述した実施例１以外にも、上記特許請求の範囲に記載した技術的思想の範囲内において、種々の異なる実施例にて実施することもできる。
【００４３】
すなわち、上述した実施例では、携帯端末装置として、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。
【００４４】
また、ＰＤＡ（Personal Digital Assistants）のような小型情報処理端末、小型音楽再生装置、携帯テレビ、携帯型ゲーム機等の他の各種携帯端末装置の場合にも適用することができる。
【図面の簡単な説明】
【００４５】
【図１】実施例に係る携帯電話機の開放状態を示す平面図である。
【図２】携帯電話機の開放状態を示す側面図である。
【図３】携帯電話機の閉塞状態を示す側面図である。
【図４】携帯電話機の表面パネル板を示す上視図である。
【図５】透明板部材を示す平面図である。
【図６】金属パネル部材を示す平面図である。
【図７】図４のＡ−Ａ拡大断面図である。
【図８】可動側筐体および両面貼着部材を示す斜視図である。
【図９】可動リアケースに対する透明板部材および金属パネル部材の固定を説明する図である。
【符号の説明】
【００４６】
１          携帯電話機
２          キースイッチ
３          機能キー
４          操作パネル
５          送話口
６          受話口
７          カバー
１０        固定側筐体
１１        固定フロントケース
１２        固定リアケース
１３        ヒンジ連結部
１４、１５  可動側ヒンジ部
１６        固定側ヒンジ部
２０        可動側筐体
２１        時計表示部
３０        可動リアケース
３１        内側面部
３２        表面パネル板
３３        透明板部材
３５        金属パネル部材
３７        切り欠き部
４０        可動フロントケース
４１        表示パネル
５０        金属フレーム板
５１        本体部
５２、５３、５４        開口部
６０        両面貼着部材
６１        本体部
６２、６３、６４        開口部
【図１】
2010130581.tif 000003
【図２】
2010130581.tif 000004
【図３】
2010130581.tif 000005
【図４】
2010130581.tif 000006
【図５】
2010130581.tif 000007
【図６】
2010130581.tif 000008
【図７】
2010130581.tif 000009
【図８】
2010130581.tif 000010
【図９】
2010130581.tif 000011